(57)【特許請求の範囲】
【請求項１】
Ｔp をトラックピッチ、λをウォブルの波長として、２πＴp ／λがほぼ０．５の偶数倍となるようにトラックが形成され、該トラックを所定波数のウォブルで構成される複数のアドレス区間に分割し、かつ該アドレス区間を所定波数のウォブルで構成される複数の小区間に分割し、該小区間内の所定位置に、該小区間の全長の半分以下の長さの情報記録領域を、隣接するトラックと該情報記録領域がディスク径方向に相互に重ならない位置の小区間について設定し、１つのアドレス情報を複数のアドレス情報構成要素に分割して、該各アドレス情報構成要素を該当するアドレス区間内の情報記録領域にそれぞれ割り当て、該割り当てられた情報記録領域内の所定位置のウォブルを該割り当てられたアドレス情報構成要素で１８０°２相位相変調して記録し、前記情報記録領域外のウォブルを無変調で記録している記録可能型ＣＬＶ方式光ディスク。
【請求項２】
Ｔp をトラックピッチ、λをウォブルの波長として、２πＴp ／λがほぼ０．５の偶数倍となるようにトラックが形成され、該トラックを所定波数のウォブルで構成される複数のアドレス区間に分割し、かつ該アドレス区間を所定波数のウォブルで構成される複数の中区間に分割し、かつ該中区間を所定波数のウォブルで構成される複数の小区間に分割し、該小区間内の所定位置に、該小区間の全長の半分以下の長さの情報記録領域を、隣接するトラックと該情報記録領域がディスク径方向に相互に重ならない位置の小区間について設定し、前記中区間の最初の情報記録領域に該中区間の先頭の情報記録領域を示す中区間先頭情報記録領域同期信号を割り当て、１つのアドレス情報を複数のアドレス情報構成要素に分割して、該各アドレス情報構成要素を該当するアドレス区間内で、前記中区間先頭情報記録領域同期信号が割り当てられてない情報記録領域にそれぞれ割り当て、前記中区間先頭情報記録領域同期信号が割り当てられた情報記録領域内の所定位置のウォブルを該割り当てられた中区間先頭情報記録領域同期信号で１８０°２相位相変調して記録し、前記アドレス情報構成要素が割り当てられた情報記録領域内の所定位置のウォブルを該割り当てられたアドレス情報構成要素で１８０°２相位相変調して記録し、残りの領域にウォブルを無変調で記録している記録可能型ＣＬＶ方式光ディスク。
【請求項３】
前記情報記録領域が、１つ置きの小区間に設定されることを基本として、隣接するトラックと該情報記録領域がディスク径方向に相互に重なる位置では該情報記録領域が相対的に１小区間分位置をずらして該重なりが生じないように設定されている請求項１または２記載の記録可能型ＣＬＶ方式光ディスク。
【請求項４】
前記情報記録領域が、１つ置きの小区間に設定されることを基本として、隣接するトラックと該情報記録領域がディスク径方向に相互に重なる位置では該情報記録領域が相対的に１小区間分位置をずらして該重なりが生じないように設定され、かつ１つの中区間内においては全情報記録領域が偶数番号の小区間または奇数番号の小区間のいずれか一方のみに設定され、該中区間の最初の情報記録領域に該中区間内の全情報記録領域が偶数番号の小区間、奇数番号の小区間のいずれに設定されているかを示す偶数／奇数識別信号が割り当てられ、該情報記録領域内の所定位置のウォブルを該割り当てられた偶数／奇数識別信号で１８０°２相位相変調して記録している請求項２記載の記録可能型ＣＬＶ方式光ディスク。
【請求項５】
前記情報記録領域が前記小区間の先頭位置に設定され、該情報記録領域内の先頭に、ウォブルを無変調で所定期間記録し続いて１８０°反転して所定期間記録した情報記録領域同期信号が記録されている請求項１から４のいずれかに記載の記録可能型ＣＬＶ方式光ディスク。
【請求項６】
前記小区間がＤＶＤ規格のシンクフレームに該当し、１シンクフレーム内のウォブルの波数が４２波に設定され、該シンクフレームとウォブルの位相が同期して、シンクフレームの開始位置でウォブルの位相が０°に設定されている請求項１から５のいずれかに記載の記録可能型ＣＬＶ方式光ディスク。
【請求項７】
請求項１から６のいずれかに記載の記録可能型ＣＬＶ方式光ディスクに情報の記録を行う光ディスク記録装置であって、
該光ディスクから検出されるウォブル信号を１８０°２相位相復調して前記情報記録領域の情報を復調する１８０°２相位相復調回路と、
該１８０°２相位相復調された情報に基づき前記アドレス区間内の小区間に分割記録されたアドレス情報を復調するアドレス情報復調回路と、
該復調されたアドレス情報に基づき記録位置制御を行う記録位置制御回路と
を具備している光ディスク記録装置。
【請求項８】
Ｔp をトラックピッチ、λをウォブルの波長として、２πＴp ／λがほぼ０．５の偶数倍となるようにトラックが形成され、所定波数のウォブルで１つのアドレス区間を構成しかつ該１つのアドレス区間を複数の小区間に分割し、該１つのアドレス区間に記録する１つのアドレス情報を複数のアドレス情報構成要素に分割して、該各アドレス情報構成要素を前記１つのアドレス区間内で、隣接するトラックとディスク径方向に相互に重ならない位置の小区間にそれぞれ割り当て、該割り当てられた小区間のウォブルを該割り当てられたアドレス情報構成要素で１８０°２相位相変調して記録し、他の小区間のウォブルを無変調で記録している記録可能型ＣＬＶ方式光ディスク。
【発明の詳細な説明】
【０００１】
【発明の属する技術分野】
この発明は、トラックにウォブル（蛇行）を形成した記録可能型ＣＬＶ（線速度一定）方式光ディスクおよびその記録装置に関し、隣接トラックからのウォブル信号のクロストークの影響を受けにくくしたものである。
【０００２】
【従来の技術】
ＣＤ−Ｒ（ＣＤレコーダブル）やＣＤ−ＲＷ（ＣＤリライダブル）等のＣＤ規格の記録可能型光ディスクにおいては、トラックがグルーブ（案内溝）として形成されている。グルーブは一定の周波数（２２．０５ｋＨｚ）でウォブリングしており、トラックの絶対位置を示すアドレス情報（ＡＴＩＰ）がＦＭ変調して記録されている。ウォブルは、記録時にディスク回転制御の検出信号として用いられる。また、記録用の基準クロックを作成するのに用いられる。また、記録時にディスクから検出されるウォブル信号をＦＭ復調してアドレス情報を取得する。
【０００３】
また、ＤＶＤ−Ｒ（ＤＶＤレコーダブル）においては、トラックが一定の周波数（１４０ｋＨｚ）で無変調でウォブリングするグルーブとして形成されている。アドレス情報はランド（グルーブとグルーブの間）にプリピットとして形成されている。ウォブルは記録時にディスク回転制御用の検出信号として用いられる。
【０００４】
【発明が解決しようとする課題】
ウォブルが形成された光ディスクに情報を記録する場合、隣接トラックのウォブル信号がクロストーク信号として検出される。特に高密度ディスクでは、光スポットに対しトラックピッチが狭くなるため、クロストーク量は多くなる。そして、ＣＬＶディスクの場合は、このクロストーク信号により、プッシュプル方式で検出したウォブル信号が振幅、位相ともに大きく変調を受け、ビート（うなり）信号となる。このため、ウォブルにアドレス情報が記録されている場合は、位相変調によりアドレス情報が揺れてしまい（ジッタを持ってしまい）、正確な書き継ぎ（リンク）ができなくなる。また、この揺れはウォブル信号から生成される記録用基準クロックをも揺すってしまい、同様に正確な書き継ぎができなくなる原因となり、また記録信号の品位を悪化させる。
【０００５】
この発明は前記従来の技術における問題点を解決して、隣接トラックからのウォブル信号のクロストークの影響を受けにくくして位相変調をほぼなくした記録可能型光ディスクおよびその記録装置を提供しようとするものである。
【０００６】
【課題を解決するための手段】
ウォブルが形成されたＣＬＶ方式光ディスクにおける記録／再生時の隣接トラックからのウォブル信号のクロストークの影響について説明する。
（１）  変数、定数の定義
まず、主な変数、定数を次のように定義する。
Ｔp ：トラックピッチ
λ  ：ウォブルの波長
ω0 ：ウォブルの角振動数（→ウォブルの周波数ｆ0 ＝２πω0 ）
Ｔc ：ｎ番目のトラックを一周するのに要する時間
ｒn ：ｔ＝Ｔc ／２における、ｎ番目のトラックのディスク中心からの距離
ｗ＝２πＴp ／λ：隣り合うトラックの波数の差（端数）
α＝ｗλ／２πｒn ＝Ｔｐ ／ｒn 
【０００７】
（２）  ウォブル波の相対的な角振動数の算出
ここでは、ｎ番目のトラックを基準とした時の、その両隣のトラック上におけるウォブル波の相対的な角振動数を算出する。まず、トラック１周上における波数の違いに注目する。ｎ＋１番目、ｎ−１番目のトラック上における波数は、ｎ番目のトラックの１周の波数Ｗn ＝２πｒn ／λを用いて、
ｎ＋１番目のトラック：Ｗn ＋ｗ
ｎ−１番目のトラック：Ｗn −ｗ
と表される。
【０００８】
次に、各トラック上におけるウォブル波の（ｎ番目のトラックに対する相対的な）周期を求める。波の周期は、ｎ番目のトラックをトレースする時にトラック１周に要する時間Ｔc を上記の波数で割ることにより求まるので、ｎ＋１番目、ｎ−１番目のトラック上におけるウォブル波の周期は、
ｎ＋１番目のトラック：Ｔc ／（Ｗn ＋ｗ）
ｎ−１番目のトラック：Ｔc ／（Ｗn −ｗ）
と表される。
【０００９】
これにより、ｎ＋１番目、ｎ−１番目のトラック上におけるウォブル波の、ｎ番目のトラックに対する相対的な角振動数は、ω0 を用いて、
ｎ＋１番目のトラック：２π（Ｗn ＋ｗ）／Ｔc 
＝２π｛１＋（Ｔp ／ｒn ）｝ｆ0 ＝（１＋α）ω0 
ｎ−１番目のトラック：２π（Ｗn −ｗ）／Ｔc 
＝２π｛１＋（Ｔp ／ｒn ）｝ｆ0 ＝（１−α）ω0 
と表される。
【００１０】
（３）  ウォブル波の算出
第（２）項で、ｎ番目のトラックを基準とした時の、その両隣のトラック上におけるウォブル波の相対的な角振動数が求まったので、これらを用いて、それぞれのウォブル波を表す式を算出する。
ｎ番目のトラック上におけるウォブル波（実際のウォブル波）の式を
Ｙn ＝cos （ω0 ｔ）
とする時、ｎ＋１番目、ｎ−１番目のトラック上におけるウォブル波は、Ｙn からの位相のずれφn+1 ，φn-1 を考慮して、
ｎ＋１番目のトラック：cos ｛（１＋α）ω0 ｔ＋φn+1 ｝
ｎ−１番目のトラック：cos ｛（１−α）ω0 ｔ＋φn-1 ｝
と表される。
【００１１】
ここで、ｎ番目のトラック上におけるウォブル波と、ｎ＋１番目、ｎ−１番目のトラック上におけるウォブル波との間には、以下の境界条件で示される関係がある。
▲１▼  ｎ番目のトラック上におけるウォブル波と、ｎ＋１番目のトラック上におけるウォブル波は、前者のｔ＝Ｔc 、すなわち後者のｔ＝０において連続である。
▲２▼  ｎ番目のトラック上におけるウォブル波と、ｎ−１番目のトラック上におけるウォブル波は、前者のｔ＝０、すなわち後者のｔ＝Ｔc において連続である。
【００１２】
これにより、次式が成り立つ。
▲１▼より、cos ｛（１＋α）ω0 ・０＋φn+1 ｝＝cos （ω0 Ｔc ）
▲２▼より、cos ｛（１−α）ω0 Ｔc ＋φn-1 ｝＝cos （ω0 ・０）
これらを解いて
φn+1 ＝４π2 ｒn ／λ
φn-1 ＝−（１−α）４π2 ｒn ／λ
ここで、便宜上、
φ＝４π2 ｒn ／λ
とおくことにすると、φn+1 ，φn-1 は、
φn+1 ＝φ
φn-1 ＝−（１−α）φ
と表される。
【００１３】
以上により、ｎ＋１番目、ｎ−１番目のトラック上におけるウォブル波は、それぞれ、
ｎ＋１番目のトラック：cos ｛（１＋α）ω0 ｔ＋φ｝
ｎ−１番目のトラック：cos ｛（１−α）ω0 ｔ−（１−α）φ｝
と表される。
【００１４】
（４）  プッシュプルの検出信号
４分割された光検出器の一方の検出信号ををＡ＋Ｄ、もう一方をＢ＋Ｃとすると、トラッキングの誤差信号は（Ａ＋Ｄ）−（Ｂ＋Ｃ）で表される。第（３）項でｎ番目のトラックに対する両隣のトラックの相対的なウォブル波を表す式が求まったので、ｎ番目のトラックに対するプッシュプルの検出信号（Ａ＋Ｄ）−（Ｂ＋Ｃ）は、両隣のトラックからの影響を考慮して、
0004061773.tif 000002
と表される。ここで、Ｋ，Ｋ′は、ｎ＋１番目、ｎ−１番目のトラックが、ｎ番目のトラックに及ぼす影響の度合いを示す定数であるが、ここでは、両者ともほぼ同程度の影響を及ぼしていると考えることにすると、
Ｋ＝Ｋ′
とみなすことができ、この時、Ｑ（ｔ）は、
0004061773.tif 000003
と変形される。
【００１５】
（式ａ）および（式ｂ）によるプッシュプルの検出信号をベクトル図で表すと、図２のようになる。図２の各記号は次を表す。
ａ：トラックｎのウォブル信号のベクトル（図２はこれを基準として記述している。）
ｂ：トラックｎ＋１のウォブル信号によるクロストークのベクトル。ベクトルの大きさはＫで、αω0 の角振動数で反時計回り方向に回転する。ｔ＝０での位相はπ＋φである。
ｃ：トラックｎ−１のウォブル信号によるクロストークのベクトル。ベクトルの大きさはＫで、αω0 の角振動数で時計回り方向に回転する。ｔ＝０での位相はπ−（φ−２πｗ）である。
ｄ：ｂとｃを合成したベクトル（イ軸上を伸び縮みする。）
ｄ′，ｄ″：ｄの最大値
ｅ：ａとｄを合成したベトクル
ｅ′：ａとｄ′を合成したベクトル
ｅ″：ａとｄ″を合成したベクトル
検出されるウォブル信号はａとｄを合成したベクトルｅであり、ベクトルｅの先端はイ軸と平行なロ軸上をｅ′とｅ″間で移動する。したがって、検出されるウォブル信号は両隣のトラックｎ−１，ｎ＋１からのウォブル信号のクロストークにより、位相、振幅ともに変動する。
【００１６】
（５）  ｗの条件によるプッシュプル検出信号（Ａ＋Ｄ）−（Ｂ＋Ｃ）の相違第（４）項で、プッシュプル検出信号（Ａ＋Ｄ）−（Ｂ＋Ｃ）を表す一般式が、（式ａ）および（式ｂ）のように求まった。
ここで、ｗが０．５の偶数倍の時、すなわち、ｗ＝０．５×２ｎ（ｎは自然数）の時の（Ａ＋Ｄ）−（Ｂ＋Ｃ）について考えることにする。
ｗ＝０．５×２ｎの時、αφが
αφ＝（ｗλ／２πｒn ）・（４π2 ｒn ／λ）＝２πｗ＝２ｎπ
となることから、（式ｂ）の第３項、および第４項におけるsin （αφ），cos （αφ）は、それぞれ
sin （αφ）＝０，cos （αφ）＝１
となる。これにより、（式ｂ）は、
Ｑ（ｔ）＝２Ｋcos （αω0 ｔ＋φ）COS （ω0 ｔ）
と変形されるから、この時のプッシュプル検出信号（Ａ＋Ｄ）−（Ｂ＋Ｃ）は、（式ａ）より、
（Ａ＋Ｄ）−（Ｂ＋Ｃ）＝cos （ω0 ｔ）
−２Ｋcos （αω0 ｔ＋φ）cos （ω0 ｔ）
＝｛１−２Ｋcos （αω0 ｔ＋φ）｝cos （ω0 ｔ）  …（式ｃ）
と表される。
【００１７】
（式ｃ）によるプッシュプルの検出信号のベクトル図を図３に示す。図３における記号の意味は図２と同じである。図３によれば、ベクトルｄは実数軸上を伸び縮みするベクトルとなる。したがって、ａとｄの合成ベクトルとして検出されるウォブル信号のベクトルｅは実数軸上をｅ′，ｅ″間で移動する。図４の実線はこのとき検出されるウォブル信号の波形で、クロストークがない場合（点線）に比べて振幅変調を受けるだけで位相変調は受けていない（ゼロクロス点が移動していない。）。したがって、ジッタのない正確な位置情報が得られ、かつゆらぎのない記録用基準クロックを生成することができる。
【００１８】
この発明は、以上説明した理論に基づくものである。すなわち、この発明の記録可能型光ディスクは、Ｔp をトラックピッチ、λをウォブルの波長として、２πＴp ／λがほぼ０．５の偶数倍となるようにトラックが形成され、該トラックを所定波数のウォブルで構成される複数のアドレス区間に分割し、かつ該アドレス区間を所定波数のウォブルで構成される複数の小区間に分割し、該小区間内の所定位置に、該小区間の全長の半分以下の長さの情報記録領域を、隣接するトラックと該情報記録領域がディスク径方向に相互に重ならない位置の小区間について設定し、１つのアドレス情報を複数のアドレス情報構成要素に分割して、該各アドレス情報構成要素を該当するアドレス区間内の情報記録領域にそれぞれ割り当て、該割り当てられた情報記録領域内の所定位置のウォブルを該割り当てられたアドレス情報構成要素で１８０°２相位相変調して記録し、前記情報記録領域外のウォブルを無変調で記録しているものである。
【００１９】
また、この発明の記録可能型光ディスクは、Ｔp をトラックピッチ、λをウォブルの波長として、２πＴp ／λがほぼ０．５の偶数倍となるようにトラックが形成され、該トラックを所定波数のウォブルで構成される複数のアドレス区間に分割し、かつ該アドレス区間を所定波数のウォブルで構成される複数の中区間に分割し、かつ該中区間を所定波数のウォブルで構成される複数の小区間に分割し、該小区間内の所定位置に、該小区間の全長の半分以下の長さの情報記録領域を、隣接するトラックと該情報記録領域がディスク径方向に相互に重ならない位置の小区間について設定し、前記中区間の最初の情報記録領域に該中区間の先頭の情報記録領域を示す中区間先頭情報記録領域同期信号を割り当て、１つのアドレス情報を複数のアドレス情報構成要素に分割して、該各アドレス情報構成要素を該当するアドレス区間内で、前記中区間先頭情報記録領域同期信号が割り当てられてない情報記録領域にそれぞれ割り当て、前記中区間先頭情報記録領域同期信号が割り当てられた情報記録領域内の所定位置のウォブルを該割り当てられた中区間先頭情報記録領域同期信号で１８０°２相位相変調して記録し、前記アドレス情報構成要素が割り当てられた情報記録領域内の所定位置のウォブルを該割り当てられたアドレス情報構成要素で１８０°２相位相変調して記録し、残りの領域にウォブルを無変調で記録しているものである。
【００２０】
この発明の記録可能型光ディスクによれば、検出されるウォブル信号は、両隣のトラックからのウォブル信号のクロストークにより振幅は変動するが、位相変動はほぼ最小となる。したがって、検出されるウォブル信号に基づき基準クロックを生成する場合には、基準クロックを位相変調なく安定に生成することができる。また、ウォブルに記録したアドレス情報を位相変調なく検出することができる。したがって、正確な書き継ぎができ、また記録信号の品位が向上する。
【００２１】
なお、前記情報記録領域は例えば、１つ置きの小区間に設定されることを基本として、隣接するトラックと該情報記録領域がディスク径方向に相互に重なる位置では該情報記録領域が相対的に１小区間分位置をずらして該重なりが生じないように設定することができる。
【００２２】
また、前記情報記録領域は例えば、１つ置きの小区間に設定されることを基本として、隣接するトラックと該情報記録領域がディスク径方向に相互に重なる位置では該情報記録領域が相対的に１小区間分位置をずらして該重なりが生じないように設定し、かつ１つの中区間内においては全情報記録領域が偶数番号の小区間または奇数番号の小区間のいずれか一方のみに設定し、該中区間の最初の情報記録領域に該中区間内の全情報記録領域が偶数番号の小区間、奇数番号の小区間のいずれに設定されているかを示す偶数／奇数識別信号を割り当て、該情報記録領域内の所定位置のウォブルを該割り当てられた偶数／奇数識別信号で１８０°２相位相変調して記録することができる。
【００２３】
また、前記情報記録領域を例えば前記小区間の先頭位置に設定し、該情報記録領域内の先頭に、ウォブルを無変調で所定期間記録し続いて１８０°反転して所定期間記録した情報記録領域同期信号を記録することができる。
【００２４】
また、前記小区間がＤＶＤ規格のシンクフレームに該当する場合は、例えば１シンクフレーム内のウォブルの波数を４２波に設定し、該シンクフレームとウォブルの位相を同期させて、シンクフレームの開始位置でウォブルの位相を０°に設定することができる。
【００２５】
この発明の光ディスク記録装置は、上記記録可能型ＣＬＶ方式光ディスクに情報の記録を行うものであって、該光ディスクから検出されるウォブル信号を１８０°２相位相復調して前記情報記録領域の情報を復調する１８０°２相位相復調回路と、該１８０°２相位相復調された情報に基づき前記アドレス区間内の小区間に分割記録されたアドレス情報を復調するアドレス情報復調回路と、該復調されたアドレス情報に基づき記録位置制御を行う記録位置制御回路とを具備しているものである。
【００２６】
この発明の別の記録可能型光ディスクは、Ｔp をトラックピッチ、λをウォブルの波長として、２πＴp ／λがほぼ０．５の偶数倍となるようにトラックが形成され、所定波数のウォブルで１つのアドレス区間を構成しかつ該１つのアドレス区間を複数の小区間に分割し、該１つのアドレス区間に記録する１つのアドレス情報を複数のアドレス情報構成要素に分割して、該各アドレス情報構成要素を前記１つのアドレス区間内で、隣接するトラックとディスク径方向に相互に重ならない位置の小区間にそれぞれ割り当て、該割り当てられた小区間のウォブルを該割り当てられたアドレス情報構成要素で１８０°２相位相変調して記録し、他の小区間のウォブルを無変調で記録しているものである。
【００２７】
この別の記録可能型光ディスクによれば、アドレス情報構成要素を割り当てる情報記録領域を小区間の全長の半分以下の長さに限ることなく設定できる（例えば小区間の全長にわたり設定できる）。そして、情報記録領域を例えば２つ（あるいはそれ以上）置きの小区間に設定することを基本として、隣接するトラックと該情報記録領域がディスク径方向に相互に重なる位置では該情報記録領域を相対的に１小区間分位置をずらして該重なりが生じないように設定することができる。このように設定することにより、検出されるウォブル信号は、両隣のトラックからのウォブル信号のクロストークにより振幅は変動するが、位相変動はほぼ最小となる。したがって、検出されるウォブル信号に基づき基準クロックを生成する場合には、基準クロックを位相変調なく安定に生成することができる。また、ウォブルに記録したアドレス情報を位相変調なく検出することができる。したがって、正確な書き継ぎができ、また記録信号の品位が向上する。
【００２８】
【発明の実施の形態】
この発明の実施の形態を図１を参照して説明する。光ディスク１０は追記型または書換型の記録可能型光ディスクである。光ディスク１０の記録面には、図１中に拡大して示すように、グルーブ１１が所定周波数（例えば１４０ｋＨｚ）でウォブリングして形成され、該光ディスク１０はＣＬＶディスクを構成している。隣接するトラック相互間のピッチＴp は一定である。ウォブルの波長λとトラックピッチＴp は、
２πＴp ／λ＝（２ｎ＋２）／２      （ｎ＝０，１，２，…）
の関係に（すなわち、２πＴp ／λが０．５の偶数倍となるように）設定されている。ウォブルには、この光ディスク１０上の絶対位置を示すアドレス情報を含むウォブル記録情報が該ウォブルを１８０°２相位相変調して記録されている。
【００２９】
光ディスク１０のウォブルに記録するウォブル記録情報のフォーマットについて説明する。光ディスク１０のトラック（グルーブ１１）は、図５（ａ）に示すように複数のＥＣＣブロックに分割される。ＥＣＣブロックはピット形成による情報記録を行う最小単位である。ＥＣＣブロックは誤り訂正符号（ＥＣＣ）が付されて情報が記録されて、再生時に該ブロック単位で情報を読み取って誤り訂正を行うことができる。ＥＣＣブロックを、ウォブルに記録するアドレス情報（ＡＤＩＰ：Addrss in Pre-groove）の最小単位とする（すなわち１ＥＣＣブロックを１アドレス区間とする）ことができる。
【００３０】
ＥＣＣブロックは図５（ｂ）に示すように、所定個数（ここでは１６個）のセクタ（Sector）（中区間）で構成される。セクタは図５（Ｃ）に示すように所定個数（ここでは２６個）のシンクフレーム（同期フレーム）（小区間）で構成される。セクタには偶数番号（０，２，４，…，２４）のシンクフレーム（セクタの先頭から数えて奇数番目のシンクフレーム）または奇数番号（１，３，５，…，２５）のシンクフレーム（セクタの先頭から数えて偶数番目のシンクフレーム）に情報記録領域が設定される。１つのアドレス情報は該アドレス情報を構成する複数のアドレス情報構成要素に分割されて、複数セクタにわたりシンクフレームの情報記録領域に分散して記録される。
【００３１】
情報記録領域が設定されたシンクフレームの構成を図５（ｄ）に示す。情報記録領域はシンクフレームの先頭から中央よりも手前の位置までの所定長さの区間として設定され、ウォブル記録情報としてアドレス情報構成要素およびその他の情報がウォブルを該情報で１８０°２相位相変調して記録される。情報記録領域外（情報記録領域が設定されたシンクフレームの情報記録領域以外の領域および情報記録領域が設定されていないシンクフレームの全領域）はウォブルが無変調で記録される。なお、各シンクフレームの先頭にはシンクフレームの先頭を示す同期信号が付され、各セクタの先頭にはセクタの先頭を示す別の同期信号が付されている。ＥＣＣブロックは各セクタにあるＩＤという一種のアドレス情報により区分けされている。
【００３２】
ところで、このようにウォブルをウォブル記録情報に応じて１８０°２相位相変調して記録した場合、現在トレースしているトラックｎの１つ前のトラックｎ−１と１つ外のトラックｎ＋１の位相が一方が反転、他方が非反転の関係にある箇所では、結果的に「２πＴp ／λが０．５の偶数倍」という関係がくずれてしまい、検出されるウォブル信号が隣接トラックｎ−１，ｎ＋１のウォブルにより位相変調されたものとなる。これを防止するためには、隣接するトラック間で情報記録領域がディスク径方向に重ならないようにすればよい。そこで、ここでは情報記録領域をシンクフレーム内の半分以下の長さに設定するとともに、１セクタ内で全情報記録領域を偶数番号のシンクフレームのみに設定する（つまり１つ置きのシンクフレームに設定する）ことを基本として、内周側に隣接するトラックと情報記録領域がディスク径方向に一部でも重なる部分が生じるセクタでは該セクタ内の全情報記録領域を１シンクフレーム分後ろにずらして奇数番号のシンクフレームに設定するようにしている。
【００３３】
光ディスク１０のある部分の隣接する複数本のトラックにおける情報記録領域の設定例を図６に示す（ウォブルのうねりは省略して図示する。また、図示した範囲にセクタの境界は存在しないものとする。）。トラックｍは内周側に隣接するトラックｍ−１（図示せず）と情報記録領域が重なってなく、偶数番号のシンクフレームに情報記録領域が設定されている。トラックｍ＋１も内周側に隣接するトラックｍと情報記録領域が重ならないので、偶数番号のシンクフレームに情報記録領域が設定されている。トラックｍ＋２は偶数番号のシンクフレームに情報記録領域を設定すると、内周側に隣接するトラックｍ＋１と情報記録領域が重なる部分が生じるので、該重なりが生じるセクタ全体について情報記録領域を１シンクフレーム分後方にシフトして奇数番号のシンクフレームに設定している。トラックｍ＋３は偶数番号のシンクフレームに情報記録領域を設定しても内周側に隣接するトラックｍ＋２と情報記録領域が重ならないので、偶数番号のシンクフレームに情報記録領域が設定されている。
【００３４】
情報記録領域におけるウォブルの記録例を図７に示す。ここではＤＶＤの規格に準拠するものとして、１シンクフレーム内のウォブルの波数を次のように定めている。ＤＶＤ規格では
トラックピッチ（Ｔp ）＝０．７４μｍ
１シンクフレーム＝１４８８チャンネルビット
１チャンネルビット長＝０．１３３μｍ
と定められている。トラック１周あたりのトラックの伸び量は、２πＴp で表わされ、これがウォブルの波長λに等しくなる（つまり、トラック１周でウォブルが１波長分増える）ようにウォブルの波長λを選択すると、
２πＴp ／λ＝１
となり、「２πＴp ／λが０．５の偶数倍」という条件を満たし、再生されるウォブル信号は、隣接トラックからのクロストークによる位相変調を受けなくなる。このとき、λ＝４．６４９μｍとなる。
一方、１シンクフレームの長さは
１４８８×０．１３３＝１９７．９０４μｍ
である。したがって、λ＝４．６４９μｍのとき１シンクフレーム内のウォブル波数は
１９７．９０４／４．６４９＝４２．５６９波
となる。ただし、１シンクフレーム内のウォブル波数は整数でかつ約数が存在する必要があるので、４２．５６９に近い整数として４２を選択する。１シンクフレーム内のウォブル波数を４２波に設定すると、
ウォブルの波長λは、
１９７．９０４／λ＝４２
であるから、λ＝４．７１２μｍとなる。このとき
２πＴp ／λ＝０．９８７
となり、「２πＴp ／λが０．５の偶数倍」という条件をほぼ満たし、再生されるウォブル信号は、隣接トラックからのクロストークによる位相変調をほとんど受けなくてすむ。
【００３５】
図７において、１シンクフレームにはウォブルが４２波収容される。ウォブルの位相はシンクフレームに同期し、シンクフレームの開始位置で該位相は０°である。１シンクフレーム内のウォブル波数の約数をウォブルの最小反転周期とする。反転位置のウォブルの位相は０°である。該最小反転周期を図７では３波に設定し、w-bitと表すことにする。すなわち、
１シンクフレーム＝４２ウォブル波＝１４w-bits
である。情報記録領域は、シンクフレームの先頭から該シンクフレームの中央よりも手前までの６w-bits区間（つまり、１シンクフレーム全長の半分よりも短い区間）である。残りの８w-bits区間はウォブルが無変調で記録されている。
図７のうち（ａ），（ｂ）はセクタの最初の情報記録領域に記録されるウォブルで、（ａ）は該情報記録領域が偶数番号のシンクフレームにある場合、（ｂ）は奇数番号のシンクフレームにある場合である。（ｃ），（ｄ）はセクタの２番目以降の情報記録領域に記録されるウォブルで、アドレス情報構成要素を含んでいる。
【００３６】
情報記録領域を構成する第０〜５w-bitのうち、第０〜３w-bitは符号“０００１”で構成される情報記録領域同期信号が記録される。先頭の第０〜２w-bitを“０００”（すなわち無変調）としているのは、図８に示すように、トレース中のトラックｎの情報記録領域Ａn が開始される直前位置で隣接トラックｎ−１（またはｎ＋１）に情報記録領域Ａn-1 が存在すると、情報記録領域Ａn の手前の位置をトレース中に隣接トラックｎ−１からのクロストークによる生じたウォブルＰＬＬのジッタが、該ウォブルＰＬＬの応答遅れにより、情報記録領域Ａn が開始された後も少しの間残るためである。すなわち、このウォブルＰＬＬのジッタを収束させる区間として、情報記録領域の先頭の第０〜２w-bitに無変調区間を設けている。
【００３７】
図７において、第４w-bitには、セクタ内の最初の情報記録領域を識別するセクタ先頭情報記録領域同期信号（中区間先頭情報記録領域同期信号）として符号“１”が記録される（セクタ内の先頭以外の情報記録領域では符号“０”が記録される。）。
【００３８】
第５w-bitには、第４w-bitの符号に応じて異なる種類の情報が記録される。すなわち、第４w-bitの符号が“１”（つまりセクタの先頭の情報記録領域）のときは、該セクタが情報記録領域を偶数番号のシンクフレームに設定しているか奇数番号のシンクフレームに設定しているかを示す情報（偶数／奇数識別信号）が記録される。すなわち、このとき第５w-bitの符号が“１”であれば、該セクタ中の全情報記録領域が偶数番号のシンクフレームに設定されていることが示され、“０”であれば奇数番号のシンクフレームに設定されていることが示される。
【００３９】
また、第４w-bitの符号が“０”（つまりセクタの先頭以外の情報記録領域）のときは、第５w-bitにはアドレス情報構成要素として、該当する位置のアドレス情報の１ビット分のデータが記録される。すなわち、このとき第５w-bitの符号“１”はアドレス情報構成要素のデータ値が“１”であることを表し、“０”はアドレス情報構成要素のデータ値が“０”であることを表す。光ディスクから読み取られた１つのアドレス情報構成要素がアドレス情報を構成するビット列の第何ビット目のデータであるかは、該アドレス情報構成要素がＥＣＣブロックの先頭から何番目のセクタの何番目のシンクフレームから読み取られたものであるかをカウントすることにより判別することができる。
【００４０】
図９は、図１の光ディスク１０を作製するための原盤の記録装置において、図７のウォブリングしたトラックを記録するためのウォブル信号発生回路を示したものである。図９の各部の波形を図１０に示す。基準クロック発生回路１２は水晶発振による基準クロックを発生する。この基準クロックは分周器１４で分周されて、所定周波数（例えば１４０ｋＨｚ）のウォブル信号（搬送波信号）（図１０（ａ））が生成される。また、基準クロックは分周器１６で分周されて、ウォブル信号を１／３分周した周期のクロック（図１０（ｂ））が生成される。ウォブル記録情報発生回路１８は、このクロックに同期してウォブル記録情報（図１０（ｃ））を生成する。位相変調回路２０は、ウォブル信号をウォブル記録情報に応じて１８０°２相位相変調（ウォブル記録情報が“１”のとき反転、“０”のとき非反転）して、１８０°２相位相変調ウォブル信号（図１０（ｄ））を生成する。ディスク原盤には、この１８０°２相位相変調ウォブル信号の波形に従ってウォブリングするトラックが形成される。
【００４１】
以上説明したようにグルーブが形成された図１の光ディスク１０に情報の記録を行う光ディスク記録装置の構成（一部）を図１１に示す。レーザダイオード２２からは記録／再生用のレーザ光が出射され、光ディスク１０の記録面に照射されて、情報の記録または再生が行われる。そのとき光ディスク１０からの戻り光は４分割光検出器２４で受光される。４分割光検出器２４の受光信号は、トラックを挟んで同じ側にあるものどうしが加算され、両加算信号を引算器２６で引算して、前記図４に示すようなプッシュプル信号が得られる。このプッシュプル信号に基づきトラッキング制御が行われる。
【００４２】
また、このプッシュプル信号はバンドパスフィルタ２８に通されてウォブル信号成分が抽出される。抽出されたウォブル信号成分はウォブルＰＬＬを構成する１８０°２相位相復調回路４４で１８０°２相位相復調される。すなわち、１８０°２相位相復調回路４４において、位相比較器４８は抽出されたウォブル信号とＶＣＯ（電圧制御型発振器）４６の発振信号を位相比較し、その位相差に応じた信号を出力する。この位相比較出力はループフィルタ４７で平均化され、ＶＣＯ４６の発振信号の周波数および位相を制御する。ウォブル信号は大部分が非反転で記録されているので、ＶＣＯ４６の発振信号の位相はこの非反転のウォブル信号に同期する。その結果、位相比較器４８からはウォブル信号が位相反転して記録された部分（ウォブル記録情報（図１０（ｃ））の符号が“１”の部分）で増大する位相比較出力が得られる。したがって、位相比較器４８の出力信号をローパスフィルタ５０に通してウォブル周波数に相当する脈動を取り除くことにより、ウォブル記録情報の復調信号が得られる。
【００４３】
ＡＤＩＰデコーダ５２（アドレス情報復調回路）はこのウォブル記録情報の復調信号をＶＣＯ４６の発振信号（ウォブルクロック）でサンプリングしてウォブル記録情報を復号し、ＥＣＣブロック内に分散して記録されているアドレス情報構成要素を収集して当該ＥＣＣブロック位置を示すアドレス情報を取得する。
ＶＣＯ４６から出力されるウォブルクロックは分周器５３で１／７分周され、さらにてい倍器５４で２４８倍されて、チャンネルビット周期（１シンクフレーム＝４２ウォブル波＝１４８８チャンネルビット）の記録クロックが生成される。
【００４４】
リンク位置コントロール回路６４（記録位置制御回路）は、ＡＤＩＰデコーダ５２から出力されるアドレス情報に基づいて書き継ぎ位置を検出し、所定の書き継ぎ位置（ＥＣＣブロックの開始位置）でスタート信号を出して書き継ぎを実行させる。すなわち、スタート信号が出されると、記録データ出力回路５６から記録データが出力される。ＥＦＭ変調回路５８はこの記録データを記録用基準クロックに同期してＥＦＭ変調する。レーザ変調回路６０はＥＦＭ変調信号の“１”，“０”の長さに応じてレーザ駆動信号の長さおよびタイミングの調整やレーザ駆動信号レベルの調整等の変調を行う。ドライバ６２はこの変調されたレーザ駆動信号に応じてレーザダイオード２２を駆動して、光ディスク１０に情報の記録を行う。
【００４５】
スピンドルモータ４２の回転制御はＶＣＯ４６から出力されるウォブルクロックに基づいて行われる。すなわち、ウォブルクロックは分周器３２で分周され、別途水晶発振器から発生される基準クロックは分周器３４で分周される。位相比較器３６は両信号を位相比較する。その比較出力はローパスフィルタ３８で平滑化され、モータドライバ４０を介してスピンドルモータ４２を線速度一定に制御する。
【００４６】
上述した実施の形態では１ＥＣＣブロックに１アドレスを割り当て、１情報記録領域に１ビットのアドレス情報構成要素を割り当てたが、この割り当てレートで光ディスクの全領域に個別のアドレスを割り振れることについて説明する。
【００４７】
１ＥＣＣブロックは１６セクタで構成され、１セクタは２６シンクフレームで構成され、該２６シンクフレームのうち半分の１３シンクフレームに情報記録領域が設定され、該１３情報記録領域のうちの１２情報記録領域にアドレス情報構成要素を１ビットずつ割り当てることができる（残りの１情報記録領域にはセクタ先頭情報記録領域同期信号（図７（ａ））の第５w-bitの“１”が割り当てられる。）から、１ＥＣＣブロック全体では１６×１２＝１９２ビットのアドレス情報構成要素を割り当てることができる。ＤＶＤの場合、記録層が２層で両面にある（合計４層）としても、全記録容量は１８ギガバイト以下であるので、１ＥＣＣブロック（１ＥＣＣブロックの容量は、２〔キロバイト／セクタ〕×１６〔セクタ／ＥＣＣブロック〕＝３２〔キロバイト／ＥＣＣブロック〕である。）単位のアドレスを２０ビットあれば表すことができる。すなわち、１９２ビット用意されたうちの２０ビットだけ用いればアドレス情報を表すことができるので、チェック用パリティビットを考慮しても十分に成り立つ。
【００４８】
なお、アドレス情報の割り当ては１ＥＣＣブロックに１アドレスを割り当てるのに限るものでなく、様々な割り当てが可能である。例えば、１／２ＥＣＣブロック単位でアドレス情報を割り当てるとすると、上記と同じ条件の場合、アドレス数が２倍に増えるのでアドレス情報の必要ビット数は２１ビットとなる。一方、１／２ＥＣＣブロック全体で割り当てることができるアドレス情報構成要素は半分の９６ビットに減少する。しかし、９６ビット用意されたうちの２１ビットを用いればアドレス情報を表すことができるので、チェック用パリティビットを考慮しても依然として十分に成り立つ。
【００４９】
さらに、１／４ＥＣＣブロック単位でアドレス情報を割り当てるとすると、上記と同じ条件の場合、１ＥＣＣブロックに１アドレスを割り当てる場合に比べてアドレス数が４倍に増えるのでアドレス情報の必要ビット数は２２ビットとなる。一方、１／４ＥＣＣブロック全体で割り当てることができるアドレス情報構成要素は１／４の４８ビットに減少する。しかし、４８ビット用意されたうちの２２ビットを用いればアドレス情報を表すことができるので、チェック用パリティビットを考慮しても依然として十分に成り立つ。
【００５０】
また、上記実施の形態では、１情報記録領域に１ビットのアドレス情報構成要素を割り当てたが、これに限るものでなく、１情報記録領域に複数ビットのアドレス情報構成要素を割り当てることもできる。
【００５１】
この発明の別の記録可能型光ディスクの実施の形態を説明する。この記録可能型光ディスクは、Ｔp をトラックピッチ、λをウォブルの波長として、２πＴp ／λがほぼ０．５の偶数倍となるようにトラックが形成され、１ＥＣＣブロックで１アドレス区間を構成し、かつ１アドレス区間に記録する１アドレス情報を複数のアドレス情報構成要素に分割して、該各アドレス情報構成要素を該当する１アドレス区間内で、隣接するトラックの情報記録領域を構成するシンクフレームとディスク径方向に相互に重ならない位置のシンクフレームにそれぞれ割り当て、該割り当てられたシンクフレームのウォブルを該割り当てられたアドレス情報構成要素で１８０°２相位相変調して記録し、他のシンクフレームのウォブルを無変調で記録している。この発明が適用された図１の光ディスク１０のある部分の隣接する複数本のトラックにおける情報記録領域の設定例を図１２に示す（ウォブルのうねりは省略して図示する。また、図示した範囲にセクタの境界は存在しないものとする。）。図１２の例では、１シンクフレーム全長を情報記録領域としている。ウォブル記録情報のフォーマットは、図５（ｄ）の１シンクフレーム全体を情報記録領域とするほかは図５と同じである。図１２の例では、情報記録領域を２つ置きのシンクフレームに設定することを基本として、隣接するトラックと該情報記録領域がディスク径方向に相互に重なる位置では該情報記録領域を相対的に１シンクフレーム分位置をずらして該重なりが生じないようにしている。なお、１シンクフレームの全長よりも短い範囲に情報記録領域を設定することもできる。
【図面の簡単な説明】
【図１】  この発明の光ディスクの実施の形態を示す図である。
【図２】  ウォブルを有するＣＬＶディスクの記録／再生時における一般的なプッシュプルの検出信号のベクトル図である。
【図３】  ２πＴp ／λを０．５の偶数倍に設定した場合のプッシュプルの検出信号のベクトル図である。
【図４】  図３の設定でウォブルが形成された光ディスクの記録／再生時のプッシュプルの検出信号の波形図である。
【図５】  図１の光ディスク１０のウォブルに記録するウォブル記録情報のフォーマットの説明図である。
【図６】  図１の光ディスク１０のある部分の隣接する複数本のトラックにおける情報記録領域の設定例を示す図である。
【図７】  図１の光ディスク１０の情報記録領域におけるウォブルの記録例を示す図である。
【図８】  図７の第０〜２w-bitの存在意義を説明する図で、トレース中のトラックの情報記録領域が開始される直前位置で隣接トラックに情報記録領域が存在した場合のウォブルＰＬＬへの影響を示す図である。
【図９】  この発明の光ディスクの原盤にウォブルを有するトラックを記録するための装置におけるウォブル信号発生回路の構成例を示すブロック図である。
【図１０】  図９回路の各部の波形図である。
【図１１】  この発明の光ディスク記録装置の実施の形態を示すブロック図である。
【図１２】  この発明の別の光ディスクの実施の形態を示す図で、図１の光ディスク１０のある部分の隣接する複数本のトラックにおける情報記録領域の設定例を示す図である。
【符号の説明】
１０…光ディスク、１１…グルーブ（トラック）、４４…１８０°２相位相復調回路、５２…ＡＤＩＰデコーダ（アドレス情報復調回路）、６４…リンク位置コントロール回路（記録位置制御回路）。
【図１】
0004061773.tif 000004
【図２】
0004061773.tif 000005
【図３】
0004061773.tif 000006
【図４】
0004061773.tif 000007
【図５】
0004061773.tif 000008
【図６】
0004061773.tif 000009
【図７】
0004061773.tif 000010
【図８】
0004061773.tif 000011
【図９】
0004061773.tif 000012
【図１０】
0004061773.tif 000013
【図１１】
0004061773.tif 000014
【図１２】
0004061773.tif 000015